(57)【特許請求の範囲】
【請求項１】
転写テープが巻装され、回転可能な供給ボビンと、
その供給ボビンを装着し、回転可能な供給リールと、
前記供給ボビンから引き出されて使用された転写テープが巻着され、転写テープを巻き取る方向にだけ回転可能な巻取ボビンと、
転写テープを巻き取る方向に対して前記巻取ボビンと連動して回転する巻取リールと、
前記供給リールと前記巻取リールとを連動させるリール連動手段と、
転写テープを被転写面に圧接させて当該転写テープを走行させることにより塗布膜の転写を行うための転写ヘッドと、がケースに含まれた塗布膜転写具であって、
前記転写ヘッドを摺動させて、前記転写を行うために前記転写テープに当接させて前記ケースから突出させ、さらに、前記ケース内に収納させるスライド機構と、
前記供給ボビンと前記供給リールとの間に介在し、前記転写ヘッドを突出させる摺動動作が前記スライド機構により行われたとき、前記供給ボビンと前記供給リールとの連動を解除し、前記転写時における前記転写テープの走行により、転写テープを供給する方向に前記供給ボビンが回転するときは、その方向に前記供給リールと前記供給ボビンとを連動して回転させるスリップ機構とを備え、
さらに、前記スライド機構は、前記転写ヘッドを収納する摺動動作をさせたとき、前記供給リールに係合して当該供給リールを逆回転させることを特徴とする塗布膜転写具。
【請求項２】
前記供給ボビンから引き出された転写テープを張架し、前記巻取リールに至らせる張架部材が設けられ、
前記スライド機構は、前記張架部材によって張架された転写テープを前記転写ヘッドで懸架させて前記ケース外に突出させることを特徴とする請求項１に記載の塗布膜転写具。
【請求項３】
前記供給ボビン及び前記巻取ボビンを前記供給リール及び前記巻取リールの前記ケース内における配設位置に対応させて前記張架部材と共に一体に組み合わせたユニットを構成し、そのユニットが前記ケース内に着脱可能とされたことを特徴とする請求項２に記載の塗布膜転写具。
【請求項４】
前記スライド機構は、前記転写ヘッドを前記ケースから突出させる摺動動作をさせたときに前記転写ヘッドを固定し、前記転写ヘッドを前記ケース内に収納する摺動動作をさせたときに前記固定を解除する固定機構を有することを特徴とする請求項１に記載の塗布膜転写具。
【請求項５】
前記転写ヘッドを収納する摺動動作が行われ、前記供給リールの逆回転に伴って前記巻取リールが転写テープを巻き取る方向と逆方向の回転をしたときに、前記巻取リールが前記巻取ボビンに回転を伝達しない構造を有することを特徴とする請求項１に記載の塗布膜転写具。
【発明の詳細な説明】
【技術分野】
【０００１】
本発明は、樹脂テープまたは紙テープの表面に糊剤が設けられる転写テープを供給ボビンに巻装してなり、糊の貼付や誤字の修正に用いられる塗布膜転写具の構成に関するものである。
【背景技術】
【０００２】
従来より、糊の貼付や誤字の修正に用いる塗布膜転写具が提案されている。このような塗布膜転写具の構成としては、未使用の転写テープが巻装される供給ボビンが装着される供給リールと、供給ボビンから引き出されて使用された使用済み転写テープが巻着される巻取ボビンが装着される巻取リールと、前記供給リールと巻取リールとを連動させるリール連動手段とを備えており、供給リールの軸部には供給リールと巻取リールのテープ搬送量の差を吸収し、転写テープの緊張を一定に保つスリップ機構が設けられたものが一般的であった。
【０００３】
そして、これに使用される転写テープとしては、搬送媒体となる樹脂テープまたは紙テープの表面に、このテープ表面から容易に剥離可能な転写膜が設けられるものが使用され、この転写テープは、樹脂または紙製の供給ボビンに巻装して提供されていた。
【０００４】
このような塗布膜転写具では、転写ヘッドに対して転写テープが懸架されずにたるんでいた場合、転写テープを転写対象に適正に押圧できず、塗布膜を転写できないため、転写テープのたるみは供給リール又は巻取リールや、それらに直結された回転部材（巻取りフランジ）などを回転させて転写テープを巻取り、転写テープを緊張させてたるみを解消していた（特許文献１参照）。
【０００５】
【特許文献１】特開平１０−２６４５９１号公報
【発明の開示】
【発明が解決しようとする課題】
【０００６】
しかしながら、転写テープのたるみが生じるたびに、供給リール又は巻取リールや、それらに直結された回転部材などを回転させて転写テープを巻取るのは、使用者にとって煩わしい作業であった。
【０００７】
また、転写テープのたるみは、転写ヘッドが常時露出している構成の塗布膜転写具では顕著に発生するため、転写テープ自体の保護も目的とした転写ヘッドを保護する保護部材を備えた塗布膜転写具も開発されてはいるが、転写テープのたるみ解消にそれほど有効な結果をもたらす構成とはならなかった。
【０００８】
本発明は、以上の問題点に鑑みてなされたものであって、その目的は、未使用時に転写テープを保護しつつ、使用時にたるみが生じないように構成した塗布膜転写具を提供することにある。
【課題を解決するための手段】
【０００９】
上記課題を解決するための、請求項１記載の発明に係る塗布膜転写具は、転写テープが巻装され、回転可能な供給ボビンと、その供給ボビンを装着し、回転可能な供給リールと、前記供給ボビンから引き出されて使用された転写テープが巻着され、転写テープを巻き取る方向にだけ回転可能な巻取ボビンと、転写テープを巻き取る方向に対して前記巻取ボビンと連動して回転する巻取リールと、前記供給リールと前記巻取リールとを連動させるリール連動手段と、転写テープを被転写面に圧接させて当該転写テープを走行させることにより塗布膜の転写を行うための転写ヘッドと、がケースに含まれた塗布膜転写具であって、前記転写ヘッドを摺動させて、前記転写を行うために前記転写テープに当接させて前記ケースから突出させ、さらに、前記ケース内に収納させるスライド機構と、前記供給ボビンと前記供給リールとの間に介在し、前記転写ヘッドを突出させる摺動動作が前記スライド機構により行われたとき、前記供給ボビンと前記供給リールとの連動を解除し、前記転写時における前記転写テープの走行により、転写テープを供給する方向に前記供給ボビンが回転するときは、その方向に前記供給リールと前記供給ボビンとを連動して回転させるスリップ機構とを備え、さらに、前記スライド機構は、前記転写ヘッドを収納する摺動動作をさせたとき、前記供給リールに係合して当該供給リールを逆回転させることを特徴とする。
【００１０】
上記課題を解決するための、請求項２記載の発明に係る塗布膜転写具は、請求項１に記載の塗布膜転写具において、前記供給ボビンから引き出された転写テープを張架し、前記巻取リールに至らせる張架部材が設けられ、前記スライド機構は、前記張架部材によって張架された転写テープを前記転写ヘッドで懸架させて前記ケース外に突出させることを特徴とする。
【００１１】
上記課題を解決するための、請求項３記載の発明に係る塗布膜転写具は、請求項２に記載の塗布膜転写具において、前記供給ボビン及び前記巻取ボビンを前記供給リール及び前記巻取リールの前記ケース内における配設位置に対応させて前記張架部材と共に一体に組み合わせたユニットを構成し、そのユニットが前記ケース内に着脱可能とされたことを特徴とする。
【００１２】
上記課題を解決するための、請求項４記載の発明に係る塗布膜転写具は、請求項１に記載の塗布膜転写具において、前記スライド機構は、前記転写ヘッドを前記ケースから突出させる摺動動作をさせたときに前記転写ヘッドを固定し、前記転写ヘッドを前記ケース内に収納する摺動動作をさせたときに前記固定を解除する固定機構を有することを特徴とする。
【００１３】
上記課題を解決するための、請求項５記載の発明に係る塗布膜転写具は、請求項１に記載の塗布膜転写具において、前記転写ヘッドを収納する摺動動作が行われ、前記供給リールの逆回転に伴って前記巻取リールが転写テープを巻き取る方向と逆方向の回転をしたときに、前記巻取リールが前記巻取ボビンに回転を伝達しない構造を有することを特徴とする。
【発明の効果】
【００１４】
本発明によれば、スライド機構を設けたので、未使用時に転写テープを保護しつつ、使用時にたるみが生じないように構成した塗布膜転写具を提供することができる。
【発明を実施するための最良の形態】
【００１５】
次に、本発明に係る塗布膜転写具につき、好適な実施形態を挙げて、図面を参照しながら、以下詳細に説明する。
【００１６】
（全体構成の概要）
図１は、本発明に係る塗布膜転写具の一実施形態における外観の構成を示す斜視図である。図１に示すように、本実施形態の塗布膜転写具１のケース１０（筐体）として機能するケース上部１０ａとケース下部１０ｂは組立可能に形成されており、その内部には、搬送テープの表面に糊剤等からなる転写層が設けられる転写テープＴを巻装して構成されるテープユニット４が内蔵される。前記搬送テープは、転写層を搬送する媒体として機能する。
【００１７】
本発明に係る塗布膜転写具は、転写テープＴを懸架する転写ヘッド５を備えており、使用者が、スライドノブなどで構成される作動部１０１をケース１０の開口部１０ｃ方向及びその反対方向に向かってスライドさせることにより、転写ヘッド５をケース１０から突出させたり、ケース１０の内部に収納させたりすることができる。使い方としては、作動部１０１を摺動させて、転写ヘッド５で転写テープを懸架し、その懸架させた当接部分を紙面などの被転写面（転写対象）に圧接して移動（転写テープを走行）させることにより、転写面が前記被転写面に転写される。この「転写」動作では、供給ボビン２１から転写テープＴが引き出されることとなる。
【００１８】
なお、本実施形態の説明では、転写ヘッド５をケース１０の開口部１０ｃから外へ突出させる方向を「突出方向」とし、転写ヘッド５をケース１０の内側に収納する方向を「収納方向」として説明する。
【００１９】
図２は、本実施形態における塗布膜転写具１の分解斜視図である。図２に示すように、塗布膜転写具１は、ケース上部１０ａ及びケース下部１０ｂとからなるケース１０に、転写テープＴを巻装した供給ボビン２１及び転写テープＴを巻き取るための巻取ボビン３１を内蔵したテープユニット４と、供給ボビン２１に係合して回転を伝達させる供給リール２と、巻取ボビン３１に係合して回転を伝達させる巻取リール３と、転写ヘッド５と、その転写ヘッド５に連結され、ケース１０の内外を摺動動作させると共に、その摺動動作に応じて、テープユニット４に内蔵される供給ボビン２１及び巻取ボビン３１に対する回転伝達を制御するスライド機構とから構成される。
【００２０】
図３は、本実施形態における塗布膜転写具１を構成するケース上部１０ａ及びケース下部１０ｂの構成を示す図である。図３に示すように、塗布膜転写具１は、矩形をなす開口部１０ｃ（図１参照）を、一辺とコの字形状とに分けるようにケース上部１０ａ及びケース下部１０ｂがヒンジ部１１で連結されている。また、収納方向におけるヒンジ部１１に対向する端部には、ヒンジ部１１によって互いに回動可能なケース上部１０ａとケース下部１０ｂとを係止し、固着させる係合部１２，１２が設けられている。
【００２１】
テープユニット４を着脱する際には、ケース下部１０ｂを固定した状態で、係合部１２，１２を解除し、ヒンジ部１１を軸として、突出方向にケース上部１０ａを回動させてケース上部１０ａ及びケース下部１０ｂを開いた状態にして行う。一方、テープユニット４をケース下部１０ｂに装着した後は、再びヒンジ部１１を軸として、ケース上部１０ａを収納方向に回動させて重ね合わされたケース上部１０ａとケース下部１０ｂとを係合部１２，１２で係止し、固着させる。
【００２２】
（テープユニットの構成）
図４は、本実施形態におけるテープユニット４の構成を示す側面図であり、図４（ａ）は、ケース下部１０ｂに対向する側の側面図であり、図４（ｂ）は、ケース上部１０ａに対向する側の側面図である。なお、テープユニット４は、図４（ａ）に示す側の面をケース下部１０ｂに対して対向させ、取り付けるものとする。
【００２３】
テープユニット４は、図４に示すように、転写テープTを巻装した供給ボビン２１、及びその供給ボビン２１から引き出されて使用された使用済み転写テープＴを巻着するための巻取ボビン３１を並列に配設し、２枚の樹脂プレート４０で挟んだ態様をなしている。そのため、転写テープＴを全て使い終わった際に、このテープユニット４を取り外して新しいものと交換することが可能であり、転写テープＴの交換作業が容易となっている。
【００２４】
供給ボビン２１及び巻取ボビン３１は、共に樹脂成型して円筒状に形成される。また、転写テープＴとしては、ポリエステルフィルム等の樹脂テープからなる搬送テープの表面に糊剤から成る転写層を搬送テープ表面から剥離可能に設けたものが使用されている。なお、搬送テープには紙テープを使用することも可能である。
【００２５】
また、テープユニット４には、供給ボビン２１から引き出された転写テープＴを巻取ボビン３１へ至らせる前に張架させる張架部材４１が形成されており、この張架部材４１は、テープユニット４をケース１０に収納した際に、ケース１０内に収納状態となっている転写ヘッド５とケース１０の開口部１０ｃとの間に転写テープＴが張架されるように構成される。例えば、ケース１０に収納した際に開口部１０ｃが位置する方向に突出し、供給ボビン２１及び巻取ボビン３１の回転軸に直交する方向（転写テープＴが走行する方向）に対をなす１対の張架部材４１として構成される。
【００２６】
なお、本実施形態において、ケース下部１０ｂに装着される側からみて、転写テープＴは、供給ボビン２１に対して右巻きで巻装されており、巻取ボビン３１に対しては左巻きで巻装されている。従って、本実施形態の説明中、転写時の動作（供給ボビン２１から転写テープＴが供給される動作）において、供給ボビン２１及び供給リール２、又は巻取ボビン３１及び巻取リール３が回転する方向（右回り）を「正回転（方向）」と表現し、その反対方向に供給ボビン２１（供給リール２）又は巻取リール３が回転する場合には「逆回転（方向）」と表現する。
【００２７】
また、本実施形態におけるテープユニット４では、巻取ボビン３１は逆回転しないように構成されているものとする。
【００２８】
（供給リールの構成）
供給リール２も樹脂成型して形成されており、その周縁に形成された歯車２ａと、テープユニット４に内蔵される供給ボビン２１に対して係合するスリップ機構付きクラッチ２２とを有する。
【００２９】
供給リール２は、ケース下部１０ｂに立設される軸部１０ｄに緩挿されて回転自在に取り付けられている。供給リール２の周縁に形成された歯車２ａは、リール連動歯車６と噛合されている。このリール連動歯車６が、本請求項にいうリール連動手段である。
【００３０】
また、供給リール２のケース下部１０ｂ側の面には、歯車２ａよりも小さな径の歯車２ｂが形成されており、後述する歯車１０３と噛合可能とされている。
【００３１】
（リール連動歯車の構成）
リール連動歯車６は、ケース下部１０ｂに立設される軸部１０ｅに緩挿されて回転自在に取り付けられており、供給リール２の歯車２ａ及び巻取リール３の歯車３ａと噛合されている。この歯車６を設けることにより、供給リール２と巻取リール３とが連動され、同方向に回転可能とされる。
【００３２】
なお、本実施形態において、「連動」とは、供給リール２及び巻取リール３と、これらに噛合しているリール連動歯車６との動作関係のように、一方の回転が他方の回転にそのまま伝達されることを指す。従って、転写動作における巻取ボビン３１と巻取リール３とは正回転方向に「連動」しているが、転写ヘッド５を突出させる動作を行った場合には、前述したスリップ機構により、意図的に供給ボビン２１の回転と供給リール２の回転とが異なるようにしたため、供給ボビン２１の回転がそのまま供給リール２に伝達されず、「連動」が解除された状態といえる。
【００３３】
（巻取リールの構成）
図５は、本実施形態において巻取リール３と巻取ボビン３１との連動によって構成される巻取機構の構成を示す図であって、図５（ａ）はケース下部１０ｂに対向する側の巻取リール３の斜視図、図５（ｂ）はケース上部１０ａに対向する側の巻取リール３の斜視図、図５（ｃ）は、巻取リール３に係合される巻取ボビン３１を備えたテープユニットの斜視図である。
【００３４】
巻取リール３は、ケース下部１０ｂに立設される軸部１０ｆに緩挿されて回転自在に取り付けられており、図５（ａ）に示す巻取リール３の周縁部に設けられる歯車３ａがリール連動歯車６と噛合されている。
【００３５】
また、図５（ｂ）に示すように、巻取リール３の内周には、ケース上部１０ａに向かって先端部分が起立した係合爪３ｂが形成される。
【００３６】
さらに、図５（ｃ）に示すように、巻取ボビン３１の内縁部には、当該巻取ボビン３１が正回転するときに係合爪３ｂに係合し、巻取リール３が逆回転するときには、係合爪３ｂが係合されずに空転する形状に形成された係止リブ３１ａが設けられる。
【００３７】
従って、ケース１０にテープユニット４を装着した際、巻取リール３に巻取ボビン３１が装着され、初期状態としては、係止リブ３１ａと係合爪３ｂとが係合した状態に置かれる。
【００３８】
そして、巻取ボビン３１又は巻取リール３が正回転するときには、巻取リール３と巻取ボビン３１が連動して正回転方向に回転し、巻取リール３が逆回転するときには、巻取ボビン３１は停止したまま、巻取リール３だけが逆回転することとなる。
【００３９】
なお、本実施形態においては、巻取リール３に装着される巻取ボビン３１に使用済み転写テープＴを巻着する構成を示したが、本発明はこれに限定されるものではなく、巻取リール３に直接転写テープＴを巻着する構成とすることも可能である。
【００４０】
（スリップ機構の構成）
スリップ機構（スリップ機構付きクラッチ２２）は、供給リール２においてテープユニット４に対向する面側に形成された収納突起２２ａに、供給ボビン２１に対して係合する軸部２２ｂが収納されてなる。
【００４１】
収納突起２２ａ内に軸部２２ｂを収納した供給リール２は、軸部２２ｂ及び供給リール２に共通の嵌合孔（図示せず）をケース下部１０ｂに立設される軸部１０ｄに嵌挿させて軸部１０ｄに回転可能に軸支される。
【００４２】
そして、供給ボビン２１の回転がこのスリップ機構（スリップ機構付きクラッチ２２）を介して供給リール２に伝達可能となっている。
【００４３】
このようにして、本実施形態のスリップ機構（スリップ機構付きクラッチ２２）は、収納突起２２ａ及び軸部２２ｂによる摩擦クラッチとして、供給ボビン２１から引き出される転写テープＴの引き出し量と巻取ボビン３１に巻着される使用済み転写テープＴの巻取り量を等しくすると共に、転写テープＴの緊張を一定に保つ働きをしている。
【００４４】
また、本実施形態のスリップ機構（スリップ機構付きクラッチ２２）は、後述する転写ヘッド５のスライド動作や転写動作に伴って、供給ボビン２１から転写テープＴが引き出されたときに機能するものである。
【００４５】
具体的には、転写ヘッド５を突出させる動作を行ったときには、転写テープＴが転写ヘッド５に引っ張られることによって、供給ボビン２１及び／又は巻取ボビン３１から転写テープＴが引き出されなければならなくなる。ここで、巻取ボビン３１は、正回転方向にしか回転しないので回転せず、それに伴って巻取リール３、リール連動歯車６及び供給リール２も回転しないので、供給ボビン２１から転写テープＴが引き出されるために、供給リール２に対して供給ボビン２１が正回転方向に滑って回転する機構である。
【００４６】
また、転写操作のときには、巻取ボビン３１に巻着される使用済み転写テープＴの巻取り量が転写テープＴの引き出し量を超過するように機能することにより、転写テープＴの弛みが防止されており、転写テープＴの緊張が必要以上に高まる前に、収納突起２２ａに対して軸部２２ｂが滑動して転写テープＴの張力を下げることにより、転写テープＴの切断が防止されると共に転写テープの緊張が略一定に保たれている。
【００４７】
ここで、本実施形態のスリップ機構としてスリップ機構付きクラッチ２２を構成する軸部２２ｂの形状は、供給ボビン２１が正回転したときに、大きなトルク（収納突起２２ａに対して滑りにくい）でその回転を供給リール２に伝達し、供給リール２が逆回転したときには、小さなトルク（収納突起２２ａに対して滑りやすい）でその回転を供給ボビン２１に伝達する構造とされている。
【００４８】
（転写ヘッドの構成）
転写ヘッド５は、供給リール２及び巻取リール３と同じ回転軸をなすローラー５１を前方に備え、このローラー５１が供給ボビン２１から引き出され、巻取ボビン３１に巻着される転写テープＴをその途中で懸架し、使用時には回転して転写テープＴの走行を滑らかなものにする役割をなす。
【００４９】
（スライド機構の構成）
本発明の特徴部分であるスライド機構１００は、ケース下部１０ｂの内面に対して摺動するように設置されて、先端部に転写ヘッド５を固定した連結部１０２を中心に構成されている。そして、転写ヘッド５をケース１０の開口部１０ｃから突出及び収納させる連結部１０２と、その連結部１０２を使用者が操作するために、ケース下部１０ｂを介してその外面に形成された摺動溝１０ｈ（図１参照）に沿って摺動するように設置された作動部１０１と、転写ヘッド５が使用状態からケース１０内に収納されるときに連結部１０２の伝達部１０２ｂのラック状ギア構造に噛み合って、摺動変位に応じて供給リール２を回転させる歯車１０３と、作動部１０１を操作して（スライドさせて）ケース１０の開口部１０ｃから転写ヘッド５を突出させて、塗布膜転写具１を使用状態としたときに転写ヘッド５を固定すると共に、作動部１０１を操作して（スライドさせて）使用状態とされた転写ヘッド５をケース１０の内部に収納する動作を補助するバネ部１０４とを有してなる。
【００５０】
連結部１０２は、中央部分に貫通孔１０２ａが形成された平板形状をなし、突出方向の端部に転写ヘッド５が設置されている。連結部１０２は、前述した軸部１０ｄ及び軸部１０ｅが貫通孔１０２ａに嵌挿されるように設置されており、結果として連結部１０２は、ケース下部１０ｂと供給リール２及び巻取リール３とに挟まれるようにして「突出方向」及び「収納方向」に摺動することとなる。
【００５１】
また、連結部１０２の貫通孔１０２ａの内縁部には、鋸歯形状の伝達部１０２ｂが形成されており、貫通孔１０２ａを通してケース下部１０ｂに形成された長円形状の凹部１０ｇに遊嵌された歯車１０３が伝達部１０２ｂに噛合されている。この歯車１０３は、凹部１０ｇが「突出方向」及び「収納方向」に長径を有する長円形状をなすことにより、「突出方向」及び「収納方向」に摺動可能となっている。
【００５２】
図６（ａ）に示すように、バネ部１０４は、ケース下部１０ｂに形成された摺動溝１０ｈ（図１参照）に収納されて、ケース下部１０ｂを介して連結部１０２に接続されている。また、バネ部１０４は、摺動溝１０ｈの側壁部に形成された係止溝１０ｉに係合する係合片１０４ａが収納方向に開形状で２つ設けられている。
【００５３】
係合片１０４ａにはそれぞれ、作動部１０１が設置される面側に突起部１０４ｂが設けられている。
【００５４】
図６（ｂ）に示すように、作動部１０１には、係合片１０４ａ（バネ部１０４）に対向する面に係合溝１０１ａが形成され、この係合溝１０１ａに突起部１０４ｂが嵌合している。
【００５５】
次に、本発明に係る塗布膜転写具の一実施形態における動作について、図面を参照して以下に説明する。図７〜図１１は、本実施形態における動作を説明するための図であり、図７は、本実施形態における転写ヘッド収納時の塗布膜転写具の透過斜視図、図８は、本実施形態における転写ヘッド収納時の塗布膜転写具の透過側面図、図９は、本実施形態における転写ヘッド突出時の塗布膜転写具の透過斜視図、図１０は、本実施形態における転写ヘッド突出時の塗布膜転写具の透過側面図、図１１は、本実施形態におけるスライド機構の一部をなす固定機構の動作を示す側面図である。
【００５６】
図７及び図８に示すように、転写ヘッド５をケース１０内に収納した状態の塗布膜転写具１では、作動部１０１が摺動溝１０ｈの収納方向端部近傍にあって、供給ボビン２１が装着された供給リール２と、巻取ボビン３１が装着された巻取リール３と、供給リール２の回転を巻取リール３に伝達するリール連動歯車６とが静止状態である。
【００５７】
また、供給ボビン２１から引き出された転写テープＴは、テープユニット４における突出方向端部に形成された張架部材４１，４１に張架されて巻取ボビン３１に巻装されている。張架部材４１，４１で張架された転写テープＴは、開口部１０ｃの内側を覆うように位置される。
【００５８】
ここで、使用者によって作動部１０１が摺動溝１０ｈに沿って突出方向に摺動されたとき、図９及び図１０に示すように、連結部１０２を介して作動部１０１に連結された転写ヘッドは、張架部材４１，４１に挟まれた態様でケース１０の外部に突出する。
【００５９】
従って、張架部材４１，４１によって張架された転写テープＴを、ローラー５１（図２参照）に懸架させた状態で転写ヘッド５はケース１０の外部に突出することになる。
【００６０】
このとき、ケース１０の内部では、巻取ボビン３１が逆回転しない構造となっているため、上述した係止リブ３１ａ及び係合爪３ｂが係合したまま巻取リール３に回転が伝達されず、リール連動歯車６及び供給リール２も固定されるので、転写ヘッド５のローラー５１に懸架された転写テープＴは、スリップ機構により供給リール２に対して滑りながら正回転する供給ボビン２１から転写ヘッド５が突出した移動変位に応じた長さだけ引き出されることとなる。
【００６１】
なお、この転写ヘッド５の突出動作では、巻取ボビン３１が逆回転しないので、リール連動歯車６を介した供給リール２も逆回転しない。
【００６２】
従って、供給リール２と供給ボビン２１とを連結しているスリップ機構付きクラッチ２２は、供給ボビン２１に係合している軸部２２ｂが収納突起２２ａに対して滑りながら回転することになる。
【００６３】
ケース１０の外部に突出させた転写ヘッド５は、使用状態となり、ケース１０の内部に不意に収納されないように固定される。この固定機構について図１１（ａ）〜（ｃ）を参照して以下に説明する。
【００６４】
前述したように、転写ヘッド５は、連結部１０２を介してバネ部１０４及び作動部１０１に接続されている。従って、ケース下部１０ｂに形成された摺動溝１０ｈと、この摺動溝１０ｈ内を摺動するバネ部１０４と、このバネ部１０４を制御する作動部１０１によって前記固定機構が構成されている。
【００６５】
図１１（ａ）〜（ｆ）は、本実施形態におけるスライド機構の一部である固定機構の動作を示す図であり、当該図は、ケース下部１０ｂに形成された摺動溝１０ｈ及びその摺動溝１０ｈの側面部に形成された係止溝１０ｉに対する作動部１０１及びバネ部１０４の動作を示したものである。
【００６６】
図１１（ａ）に示すように、摺動溝１０ｈに収納されたバネ部１０４の係合片１０４ａ，１０４ａは、転写ヘッド５が本体１０の内部に収納されている状態では、収納方向側の１対の係止溝１０ｉにそれぞれ係合されている。
【００６７】
使用者が作動部１０１を突出方向に摺動させたとき、図１１（ｂ）に示すように、係合片１０４ａ，１０４ａは収納方向に開形状（収納方向に開いた「ハ」の字形状）をなしているので、各係合片１０４ａ，１０４ａはスムーズに係止溝１０ｉから離脱する。
【００６８】
そして、作動部１０１を突出方向に摺動させて、転写ヘッド５が完全にケース１０の外部に突出したとき、図１１（ｃ）に示すように、各係合片１０４ａ，１０４ａは突出方向側の１対の係止溝１０ｉにそれぞれ係合されることになる。
【００６９】
前述したように、係合片１０４ａ，１０４ａは収納方向に開形状をなしているので、各係合片１０４ａ，１０４ａは突出方向側の１対の係止溝１０ｉから離脱しにくい状態となり、バネ部１０４は収納方向に対して固定された状態となる結果、連結部１０２を介して転写ヘッド５も固定されることとなる。
【００７０】
転写ヘッド５を本体１０から突出させた状態で、塗布膜転写具１は使用状態となる。この使用時では、転写対象に対してケース下部１０ｂを左側にして、転写テープＴが懸架された転写ヘッド５を転写対象に押しつけ、手前に引くようにする（転写テープＴを走行させる）ことで供給ボビン２１が正回転し、その回転がスリップ機構付きクラッチ２２及び供給リール２を介してリール連動歯車６に伝わり、巻取リール３を経て巻取ボビン３１が正回転することによって使用済みの転写テープＴを巻装することとなる。
【００７１】
このときも、スリップ機構付きクラッチ２２によって、供給ボビン２１から引き出される転写テープＴの量と巻取ボビン３１に巻着される転写テープＴの量とがほぼ同量に保たれると共に、転写テープＴの緊張度合いが一定に維持されている。
【００７２】
その後、塗布膜転写具１の使用が終了し、転写ヘッド５を再びケース１０の内部に収納する際には、使用者が作用部１０１を収納方向に摺動させることによって、作用部１０１に接続されたバネ部１０４及び連結部１０２を介して転写ヘッド５がケース１０の内部に収納されることとなるが、このとき、本発明のスライド機構は、転写ヘッド５のケース１０内部への収納と同時に転写テープＴの適正な収納も実現させる。
【００７３】
具体的には、まず、前述した転写ヘッド５の突出動作では、連結部１０２が突出方向に摺動するのに伴って、伝達部１０２ｂに噛合された歯車１０３が供給リール２の歯車２ｂから離されて、歯車２ｂとの噛合が解除された状態とされている。これは、凹部１０ｇが突出方向及び収納方向に長径を有する長円形状をなしていることで歯車１０３が突出方向に移動することに起因する。
【００７４】
従って、転写ヘッド５の収納動作を行った場合、それに伴う連結部１０２の収納方向への摺動によって、歯車１０３が凹部１０ｇの長軸方向に沿って収納方向に摺動し、歯車２ｂと噛合する。
【００７５】
そして、転写ヘッド５の収納動作が続行され、連結部１０２の収納方向への摺動によって、歯車１０３は伝達部（ラック状ギア）１０２ｂに噛合して正回転し、この歯車１０３に噛合した供給リール２の歯車２ｂが逆回転する。そうすると、リール連動歯車６を介して巻取リール３も逆回転する。ここで、逆回転時には係止リブ３１ａに対して、係合爪３ｂは係止されない形状としているので、巻取リール３が逆回転しても、その回転は巻取ボビン３１には伝達されない。
【００７６】
よって、転写ヘッド５の収納動作に連動して、連結部１０２に形成された伝達部１０２ｂ及び歯車１０３を介して供給リール２が逆回転し、供給ボビン２１により、転写ヘッド５の突出動作で引き出された転写テープＴを巻取って、張架部材４１，４１で張架された転写テープＴを、開口部１０ｃの内側を覆うように初期の位置（図７参照）に戻すことができる。
【００７７】
なお、凹部１０ｇの長径の長さは、歯車２ｂとの噛合を解除でき、かつ転写ヘッド５の収納動作を行った場合に可及的速やかに歯車２ｂと噛合することができる程度に設計される。
【００７８】
このときも、スリップ機構付きクラッチ２２によって、転写テープＴの緊張度合いが一定に維持されている。なお、一方側が固定された（回転しない）巻取ボビン３１によって引っ張られた転写テープＴの他方側を供給ボビン２１の逆回転動作によって引っ張りすぎたとしても、前述したように、軸部２２ｂの形状は、装着された供給リール２が逆回転しているときには収納突起２２ａに対して滑りやすい形状となっているので、転写テープＴの張力がある程度以上になっても、供給リール２に対して供給ボビン２１が滑るので、転写テープＴが過剰に引っ張られ、破損することはない。
【００７９】
次に、転写ヘッド５の収納動作における前記固定機構の動作について、図１１（ｃ）〜（ｆ）を参照して以下に説明する。
【００８０】
転写ヘッド５がケース１０の外部に突出しているときは、図１１（ｃ）に示すように、各係合片１０４ａ，１０４ａは突出方向側の１対の係止溝１０ｉにそれぞれ係合されている。
【００８１】
ここで、転写ヘッド５の収納動作を開始することは、作動部１０１を収納方向に摺動することを意味する。また、係合片１０４ａ，１０４ａに設けられた突起部１０４ｂは作動部１０１の係合溝１０１ａに係合しており、それら係合溝１０１ａの形状は、収納方向に開形状（収納方向に開いた「ハ」の字形状）をなしている。
【００８２】
すなわち、転写ヘッド５の収納動作を開始すると、突起部１０４ｂは作動部１０１の係合溝１０１ａの形状に沿って、係合片１０４ａ，１０４ａを互いに近づけさせるように働き、係合片１０４ａ，１０４ａは突出方向側の１対の係止溝１０ｉから離脱し、転写ヘッド５の固定が解除されることとなる。
【００８３】
そして、引き続き作動部１０１を収納方向に摺動させると、図１１（ｅ）に示すように、係合片１０４ａ，１０４ａは摺動溝１０ｈの側面に沿って摺動し、転写ヘッド５が完全にケース１０の内部に収納されたとき、図１１（ｆ）に示すように、各係合片１０４ａ，１０４ａは再び、収納方向側の１対の係止溝１０ｉにそれぞれ係合されることになる。
【００８４】
以上説明したように、本発明によれば、スライド機構を設けたので、未使用時に転写テープを保護しつつ、使用時にたるみが生じないように構成した塗布膜転写具を提供することができる。
【００８５】
また、スライド機構に加え、供給リールにスリップ機構を備えたので、転写ヘッドの突出動作／収納動作を繰り返しても転写テープのたるみを解消し、常に適正な使用準備状態とすることができる。
【図面の簡単な説明】
【００８６】
【図１】本発明に係る塗布膜転写具の一実施形態における外観構成を示す斜視図。
【図２】本発明に係る塗布膜転写具の一実施形態における構成を示す分解斜視図。
【図３】本発明に係る塗布膜転写具の一実施形態におけるケースの構成を示す図であって、図３（ａ）はテープユニットの装着時におけるケースを開いた構成図、図３（ｂ）はテープユニットの未装着時におけるケースを開いた構成図。
【図４】本発明に係る塗布膜転写具の一実施形態におけるテープユニットの構成を示す図であって、図４（ａ）は、ケース下部に対向する側の側面図、図４（ｂ）はケース下部に対向する側の側面図。
【図５】本発明に係る塗布膜転写具の一実施形態における巻取機構の構成を示す図であって、図５（ａ）はケース下部に対向する側の巻取リールの斜視図、図５（ｂ）はケース上部に対向する側の巻取リールの斜視図、図５（ｃ）は、巻取リールに係合される巻取ボビンを備えたテープユニットの斜視図。
【図６】本発明に係る塗布膜転写具の一実施形態におけるスライド機構の構成を示す図であって、図６（ａ）はバネ部の構成図、図６（ｂ）は作動部の構成図。
【図７】本発明に係る塗布膜転写具の一実施形態における構成を示す透過斜視図。
【図８】本発明に係る塗布膜転写具の一実施形態における構成を示す透過側面図。
【図９】本発明に係る塗布膜転写具の一実施形態における構成を示す透過斜視図。
【図１０】本発明に係る塗布膜転写具の一実施形態における構成を示す透過側面図。
【図１１】本発明に係る塗布膜転写具の一実施形態におけるスライド機構の動作を示す図。
【符号の説明】
【００８７】
１  塗布膜転写具
１０  ケース
１０ａ  ケース上部
１０ｂ  ケース下部
１０ｃ  開口部
１０ｄ  軸部
１０ｅ  軸部
１０ｆ  軸部
１０ｇ  凹部
１０ｈ  摺動溝
１０ｉ  係止溝
１１  ヒンジ部
１２  係合部
２  供給リール
２１  供給ボビン
２ａ  歯車
２ｂ  歯車
２２  スリップ機構付きクラッチ
２２ａ  収納突起
２２ｂ  軸部
３  巻取リール
３ａ  歯車
３ｂ  係合爪
３１  巻取ボビン
３１ａ  係止リブ
４  テープユニット
４ａ  テープユニット上部
４ｂ  テープユニット下部
４１  張架部材
５  転写ヘッド
５１  ローラー
６  リール連動歯車
１０１  作動部（スライドノブ）
１０１ａ  係合溝
１０２  連結部
１０２ａ  貫通孔
１０２ｂ  伝達部
１０３  歯車
１０４  バネ部
１０４ａ  係合片
１０４ｂ  突起部
Ｔ  転写テープ
【図１】
0004652955.tif 000002
【図２】
0004652955.tif 000003
【図３】
0004652955.tif 000004
【図４】
0004652955.tif 000005
【図５】
0004652955.tif 000006
【図６】
0004652955.tif 000007
【図７】
0004652955.tif 000008
【図８】
0004652955.tif 000009
【図９】
0004652955.tif 000010
【図１０】
0004652955.tif 000011
【図１１】
0004652955.tif 000012